(57)【要約】【課題】トラップ自体の保管や輸送に、形状に合致した容積の空間が必要であり、取り扱いが不便であり、粘着紙の面積が充分ではないことを解消する。【解決手段】  横方向より縦方向が長く形成され、粘着紙３の支持突起１１と支持片１２とを有する背面板１と、該背面板１の下端側に連続する正面板２と、背面板１及び正面板２の形状に合致した長板状の粘着紙３とを備え、背面板１と正面板２とを、粘着板３と共に組み立てた際に、正面板２と、該正面板２と組み合う粘着板３とが、アーチ状に形成される。【選択図】図１
2006101758.tif 000002
【特許請求の範囲】
【請求項１】
粘着紙の支持突起と支持片とを有し、横方向より縦方向が長く形成された背面板と、
該背面板の下端側に連続し、粘着紙の止片を有する正面板と、
背面板及び正面板の形状に合致した長板状の粘着紙とを備え、
正面板の長手方向の寸法が、背面板の長手方向の寸法より大きく、
背面板と正面板とを、粘着板と共に組み立てた際に、
正面板と、該正面板と組み合う粘着板とが、アーチ状に形成されることを特徴とする、
組立トラップ。
【請求項２】
正面板側のアーチ状の最大到達位置から、背面板側の粘着紙までの距離が、１５〜４５ｍｍであることを特徴とする、請求項１に記載の組立トラップ。
【請求項３】
背面板の上端側に差込孔を設けると共に、正面板の対応位置に差込片を設けることを特徴とする、請求項１または請求項２に記載の組立トラップ。
【請求項４】
背面板の上端に上端ガイド壁を設けると共に、上端側の側面に側面ガイド壁を設けることを特徴とする、請求項１〜請求項３のいずれか一つに記載の組立トラップ。
【請求項５】
正面板に正面開孔を設けることを特徴とする、請求項１〜請求項４のいずれか一つに記載の組立トラップ。
【請求項６】
背面板または正面板と、粘着板とに、バーコードを取り付けることを特徴とする、請求項１〜請求項５のいずれか一つに記載の組立トラップ。
【発明の詳細な説明】
【技術分野】
【０００１】
本発明は組立トラップに関し、詳細には、穀物保管所や、食品加工場に設置される組立トラップに関する。
【背景技術】
【０００２】
食品工場等で昆虫が混入することを防ぐため、各種のトラップが使用されている。
例えば、特許文献１には、紫外線蛍光ランプの誘虫効果を利用した捕虫器とそのカートリッジに関して記載されている。
該特許文献１に記載のトラップは、カバーの左右両側につくられたカートリッジの差込口と、カートリッジの捕虫粘着部が挿入時に差込口の断面に接触しないようにするための差込口形状と、差し込まれたカートリッジをカバー底部に誘導かつ固定するカートリッジ押さえガイドとを備えている。
加えて、カートリッジが差し込まれた差込口とは反対側の差込口から装着されたカートリッジが抜け落ちることを防ぐための、差込口内部の停止形状からなるカートリッジの差込脱着機構を有している。
【特許文献１】特開２００４−１５９６２６号公報
【発明の開示】
【発明が解決しようとする課題】
【０００３】
しかしながら、特許文献１に記載のトラップは、トラップ全体の形状が立体状なので、トラップ自体の保管や輸送に、形状に合致した容積の空間が必要であり、取り扱いが不便であった。
さらに、粘着紙の面積が充分ではなかった。
【課題を解決するための手段】
【０００４】
第１に、
粘着紙の支持突起と支持片とを有し、横方向より縦方向が長く形成された背面板と、
該背面板の下端側に連続し、粘着紙の止片を有する正面板と、
背面板及び正面板の形状に合致した長板状の粘着紙とを備え、
正面板の長手方向の寸法が、背面板の長手方向の寸法より大きく、
背面板と正面板とを、粘着板と共に組み立てた際に、
正面板と、該正面板と組み合う粘着板とが、アーチ状に形成されることを特徴とする、
組立トラップ。
第２に、
正面板側のアーチ状の最大到達位置から、背面板側の粘着紙までの距離が、１５〜４５ｍｍであることを特徴とする、上記第１に記載の組立トラップ。
第３に、
背面板の上端側に差込孔を設けると共に、正面板の対応位置に差込片を設けることを特徴とする、上記第１または第２に記載の組立トラップ。
第４に、
背面板の上端に上端ガイド壁を設けると共に、上端側の側面に側面ガイド壁を設けることを特徴とする、上記第１〜第３のいずれか一つに記載の組立トラップ。
第５に、
正面板に正面開孔を設けることを特徴とする、上記第１〜第４のいずれか一つに記載の組立トラップ。
第６に、
背面板または正面板と、粘着板とに、バーコードを取り付けることを特徴とする、上記第１〜第５のいずれか一つに記載の組立トラップ。
【０００５】
支持片は、背面板の上端側の左右２箇所に設けることが好ましいが、限定されることはない。
該支持片は、背面板の一部を切り抜いて、折り曲げ成形で構成できる他に、予め折り曲げて成形したものを、背面板に取り付けることで構成することもできる。
【０００６】
粘着紙の支持突起は、２つの支持片の間に設けることが好ましく、形状自体が限定されることはない。
また、支持突起を支持片の裏側に設けることもできる。
【０００７】
止片は、正面板の下端側の左右２箇所に設けることが好ましい。
【０００８】
差込孔は、背面板の上端側に取り付けたＬ型状の上端ガイド壁の中央に、差込片の形状に合致した細長孔を設けることが好ましいが、複数個を設けることもできる。
【０００９】
差込片は、正面板の下端側の中央に、外側に突出するように設けることが好ましいが、正面板の下端側の複数箇所に設けることもできる。
【発明の効果】
【００１０】
本発明の組立トラップによると、使用現場でトラップを組み立て、組立前はトラップ全体を平面状にして扱うことができるので、トラップ自体の保管や輸送に、少ない容積の空間があれば充分であり、取り扱いが容易である。
また、背面板と正面板とが開いた状態で、粘着紙をセットし、セット後は、正面板を背面板に組み合わせることで組立が完成するので、組立時間が少なくてすむ。
さらに、粘着紙が、正面板と背面板との大部分の面積を占めるので、トラップの強度を確保しつつ、充分な粘着面積を確保することができる。
【実施例１】
【００１１】
以下に、図面を参照しながら、本発明に係る組立トラップについて説明する。
【００１２】
図１は、本発明の組立トラップの説明図であり、図中、（ａ）は平面図、（ｂ）は側面図を示す。
図２は、図１の（ａ）における要部の断面図である。
図３は、本発明の組立トラップの概略の斜視図であり、（ａ）は組立前、（ｂ）は組立後を示す。
図４は、試験例１の説明図である。
図５は、試験例２の説明図である。
【００１３】
本実施例の組立トラップは、横方向より縦方向が長く形成された背面板１と、該背面板１の下端側に連続する正面板２と、背面板１及び正面板２の形状に合致した長板状の粘着紙３とを備えている。
【００１４】
背面板１は、上端側に、粘着紙３の支持突起１１と、該支持突起１１の両側の左右に配置された２個の支持片１２とを有している。
支持片１２は、背面板１の一部を切り抜いて、図２（ｂ）に示すように、折り曲げ成形して構成したものである。
なお、図２（ｆ）に示すように、支持突起１１ｆを、支持片１２ｆの裏側に設けることもできる。
この場合、支持突起１１ｆを、２個の支持片１２ｆの各々に組み合わせて設けることができる。
背面板１の上端中央部には、吊下開孔１３ａを有する吊下片１３が取り付けられている。
該吊下片１３と背面板１との接続箇所となる背面板１の上端側には、図２（ａ）に示すように、差込孔１４が設けられている。
正面板２との組み立てを容易にするために、背面板１の上端には上端ガイド壁１５が設けられ、側面には側面ガイド壁１６が設けられている。
差込孔１４は、背面板１の上端側に取り付けた上端ガイド壁１５の中央部に、差込片２３の形状に合致した細長孔を設けることで形成されている。
背面板１の側面端は、図２（ｄ）に示すように、傾斜線により形成されている。
背面板１は、楕円形を四分割した形状の背面開孔１７を有している。
【００１５】
正面板２は、長手方向の寸法が、背面板１の長手方向の寸法より大きく形成され、図１（ｂ）に示すように、下端側がＬ型状になるように、上端ガイド壁１５と組み合う下端小壁２１が形成されている。
すなわち、正面板２と背面板１とを組み合わせた際に、正面板２側のアーチ状の最大到達位置から、背面板１側の粘着紙３までの距離ｄ（図５参照）が、例えば、３５ｍｍとなるように形成されている。
そして、背面板１と正面板２とを、粘着板３と共に組み立てた際に、正面板２と、該正面板２と組み合う粘着板３とがアーチ状に形成されることになる。
正面板２の下端側の左右２箇所には、粘着紙３の止片２２が、図２（ｅ）に示すように、内側に向けて突起するように形成されている。
正面板２の下端側の中央部であり、背面板１の差込孔１４の対応位置に、差込片２３が外側に突出するように設けられている。
正面板２は、中央に太鼓状の正面開孔２４を有し、誘引成分の拡散補助の他に、粘着紙３の裏側への書き込みを可能にしている。
正面板２は、背面板１の下端側と、特に図２（ｃ）に示すように、連続して形成されている。
【００１６】
粘着紙３は、背面板１及び正面板２の形状に合致した長板状のものであり、図３に示すように、捕獲対象の害虫に対応した誘引剤４が取り付けられている。
【００１７】
なお、図示は省略するが、背面板１または正面板２、若しくは背面板１及び正面板２と、粘着板３とに、データ処理用に、各々バーコードを取り付けることもできる。
【００１８】
次に、上記の実施例の組立トラップの使用例について説明する。
【００１９】
本発明に係る組立トラップは、保管や運搬の際には、平面状に折り曲げて扱うことができるので、スペースを節約でき、取り扱いが容易である。
【００２０】
組み立ては、図３の動作説明用の概略図に示すように、背面板１と正面板２に、誘引剤４を取り付けた１枚の粘着紙３をセットする。
粘着紙３のセットは、詳細には図１に示すように、上端側を背面板１側の支持片１２に差し込み、下端側を正面板２側の止片２２に差し込むようにする。
ここで、支持片１２により、粘着紙３の上端側を挟み込むようにして保持すると、支持突起１１が粘着紙３に食い込むことで、粘着紙３の交換の際の脱落を防止する。
【００２１】
次に、正面板２の下端側を、背面板１の上端側と組み合わせる。
これは、正面板２の下端小壁２１が、背面板１の上端ガイド壁１５及び側面ガイド壁１６により、ガイドされ、差込片２３が差込孔１４に差し込まれることで行われる。
組み合わせが完了すると、図３（ｂ）に示すように、正面板２側がアーチ状となり、背面板１と組み合う。
ここで、粘着板３の正面板２側も、アーチ状に形成され、トラップの形状を補強するようになると共に、特に、粘着板３の背面板１側において、粘着板３と背面板１とが全面的に密着し、隙間が生じないようになる。
【００２２】
設置の際には、吊下片１３の吊下開孔１３ａを、所定位置のフックに取り付けることで行う。
そして、必要に応じて、粘着紙３の粘着面とは反対面に、正面板２の正面開孔２４を介して書き込みを行う。
なお、バーコードリーダーにより、正面板２及び粘着紙３に貼り付けられたバーコードを読み込むことで、データ処理を行うこともできる。
【００２３】
本発明の組立トラップは、背面板１と正面板２の両面に粘着部となる粘着紙３を取り付けることができるので、粘着部の面積を大きくすることができると共に、垂直状態で設置した際に、単に垂直部分に粘着部を設けるのと異なり、Ｕ字状の粘着部を設けることが可能なので、良好な捕虫効率を得ることができる。
【００２４】
［試験例１］
本発明に係る組立トラップの形状の有効性について確認するため、図４に示すように、（ａ）三角形状、（ｂ）縦長箱形形状、（ｃ）横長箱型形状、（ｄ）アーチ形状の各種形状のトラップについて、形状以外は同一条件で、捕獲試験を行い、捕虫率を求めた。
その結果、（ａ）三角形状は５１％、（ｂ）縦長箱形形状は５３％、（ｃ）横長箱型形状は２９％、（ｄ）アーチ形状は６０％であった。
結果を考察すると、アーチ形状のものが、捕獲効果が優れていることが確認できる。
【００２５】
［試験例２］
本発明に係るアーチ形状のトラップについて、正面板２側のアーチ状の最大到達位置から背面板１側の粘着紙３までの距離ｄを、５、１５、２５、３５、４５、５５ｍｍと変化させた場合の捕虫率を各々求めた。
その結果、５ｍｍは１０％、１５ｍｍは７５％、２５ｍｍは７２％、３５ｍｍは７６％、４５ｍｍは６８％、５５ｍｍは１０％であった。
結果を考察すると、１５ｍｍ〜３５ｍｍの場合に、捕獲効果が優れていることが確認できる。
【図面の簡単な説明】
【００２６】
【図１】本発明の組立トラップの説明図であり、図中、（ａ）は平面図、（ｂ）は側面図を示す。
【図２】図１の（ａ）における要部の断面図である。
【図３】本発明の組立トラップの概略の斜視図であり、（ａ）は組立前、（ｂ）は組立後を示す。
【図４】試験例１の説明図である。
【図５】試験例２の説明図である。
【符号の説明】
【００２７】
１  背面板
２  正面板
３  粘着紙
４  誘引剤
１１  支持突起
１２  支持片
１３  吊下片
１３ａ  吊下開孔
１４  差込孔
１５  上端ガイド壁
１６  側面ガイド壁
１７  背面開孔
２１  下端小壁
２２  止片
２３  差込片
２４  正面開孔
【図１】
2006101758.tif 000003
【図２】
2006101758.tif 000004
【図３】
2006101758.tif 000005
【図４】
2006101758.tif 000006
【図５】
2006101758.tif 000007